(57)【要約】【課題】着信音の高音質化を十分に活用することができ且つ内蔵充電池の消耗を早めるおそれがない電話装置を提供する。【解決手段】着信音データを予め格納する不揮発性メモリ１０と、内蔵充電池（図示せず）の充電開始を検出する充電開始検器（図示せず）と、該充電開始検出器によって充電開始が検出されると着信音データを不揮発性メモリ１０が格納するデータテーブルを参照して再生回路１１に送出するように制御するＣＰＵ３と、ＣＰＵ３から送出される着信音データを再生する再生回路１１と、再生回路１１の出力信号を増幅してスピーカ１３に送出するドライバ回路１２と、スピーカ１３と、を備える電話装置。【選択図】　　　図１
2004023272.tif 000002
【特許請求の範囲】
【請求項１】
着信音データを予め格納する記憶手段と、
時限手段と、
該時限手段の動作開始によって前記記憶手段より前記着信音データを読み出して再生を開始し、前記時限手段の動作中は前記着信音データを再生する再生手段と、
を備えることを特徴とする電話装置。
【請求項２】
着信音データを予め格納する記憶手段と、
内蔵充電池の充電開始を検出する充電開始検出手段と、
該充電開始検出手段によって充電開始が検出されると前記記憶手段より前記着信音データを読み出して再生を開始する再生手段と、
を備えることを特徴とする電話装置。
【請求項３】
着信音データを予め格納する記憶手段と、
時限手段と、
内蔵充電池の充電開始を検出する充電開始検出手段と、
前記内蔵充電池の満充電を検出する満充電検出手段と、
前記時限手段の動作開始あるいは前記充電開始検出手段によって充電開始が検出されると前記記憶手段により前記着信音データを読み出して再生を開始し、前記時限手段の動作終了あるいは前記満充電検出手段によって満充電が検出されると前記着信音データの再生を停止する再生手段と、
を備えることを特徴とする電話装置。
【請求項４】
前記再生手段が前記着信音データを前記時限手段あるいは前記充電開始検出手段に基づいて再生しているときに着信があったときは、前記着信音データの再生音量を変化させることにより着信を報知する報知手段を備えることを特徴とする請求項１から３何れかに記載の電話装置。
【発明の詳細な説明】
【０００１】
【発明の属する技術分野】
本発明は電話装置に関する。
【０００２】
【従来の技術】
電話装置は通常、ユーザに着信を報知するために着信の際に着信音を発する。かつて電話装置の着信音はリンガーによって生成される単純な断続音であったが、現在では単純な断続音の他にメロディ等も着信音にすることができる。また、着信音データを再生する回路の高性能化によって同時に再生できる音数も増加しており、メロディ等の着信音の高音質化が図られている。
【０００３】
このため、着信音は、着信を報知するという本来の効果に加えて、着信があった際にユーザが自分の趣向にあったメロディ等を高音質で聴くことができるという効果も有するようになっている。
【０００４】
【発明が解決しようとする課題】
しかしながら、従来の電話装置は着信の際にしか着信音を発しないため、着信音の高音質化を十分に活用しているとは言い難かった。
【０００５】
なお、音楽を聴くことができる電話装置が特開２０００−２９９７１８号公報に開示されているが、当該電話装置は着信音データとは別の音楽データを再生する構成であり、着信の際にしか着信音を発しない点については一般的な従来の電話装置と同様であった。
【０００６】
本発明は、上記の問題点に鑑み、着信音の高音質化を十分に活用することができる電話装置を提供することを目的とする。
【０００７】
【課題を解決するための手段】
上記目的を達成するために、本発明に係る電話装置においては、着信音データを予め格納する記憶手段と、時限手段と、該時限手段の動作開始によって前記記憶手段より前記着信音データを読み出して再生を開始し、前記時限手段の動作中は前記着信音データを再生する再生手段と、を備える構成とする。
【０００８】
また、上記目的を達成し且つ内蔵充電池の消耗を早めないために、本発明に係る電話装置においては、着信音データを予め格納する記憶手段と、内蔵充電池の充電開始を検出する充電開始検出手段と、該充電開始検出手段によって充電開始が検出されると前記記憶手段より前記着信音データを読み出して再生を開始する再生手段と、を備える構成とする。
【０００９】
また、上記目的を達成し且つ自動的に再生を停止できるようにするために、本発明に係る電話装置においては、着信音データを予め格納する記憶手段と、時限手段と、内蔵充電池の充電開始を検出する充電開始検出手段と、前記内蔵充電池の満充電を検出する満充電検出手段と、前記時限手段の動作開始あるいは前記充電開始検出手段によって充電開始が検出されると前記記憶手段により前記着信音データを読み出して再生を開始し、前記時限手段の動作終了あるいは前記満充電検出手段によって満充電が検出されると前記着信音データの再生を停止する再生手段と、を備える構成とする。
【００１０】
また、上記目的を達成し且つユーザが着信のあったことを容易に識別できるようにするために、本発明に係る電話装置においては、上記構成に加えて、前記再生手段が前記着信音データを前記時限手段あるいは前記充電開始検出手段に基づいて再生しているときに着信があったときは、前記着信音データの再生音量を変化させることにより着信を報知する報知手段を備える構成とする。
【００１１】
【発明の実施の形態】
以下に本発明の一実施形態について図面を参照して説明する。本発明に係る携帯電話装置の回路ブロック図を図１に示す。
【００１２】
アンテナ１が無線部２を介してＣＰＵ（Ｃｅｎｔｒａｌ　Ｐｒｏｃｅｓｓｏｒ　Ｕｎｉｔ）３に接続される。また、発信者情報検出回路４の入力側が無線部２に接続され、発信者情報検出回路４の出力側がＣＰＵ３に接続される。そして、キー入力部５、ＲＯＭ（Ｒｅａｄ　Ｏｎｌｙ　Ｍｅｍｏｒｙ）６、ＲＡＭ（Ｒａｎｄｏｍ　Ａｃｃｅｓｓ　Ｍｅｍｏｒｙ）７、ドライバ回路８、不揮発性メモリ１０、及び再生回路１１がＣＰＵ３に接続される。さらに、表示装置９がドライバ回路８に接続され、再生回路１１がドライバ回路１２に接続され、スピーカ１３がドライバ回路１２に接続される。
【００１３】
このような構成の携帯電話装置の着信報知動作について以下に説明する。ＣＰＵ３は、ＲＯＭ６に格納されているプログラムに従い、制御データを格納するＲＡＭ７を用いて携帯電話装置全体を複合的に制御する。
【００１４】
不揮発性メモリ１０は、複数の着信音データそれぞれに登録番号、選定番号、発信者電話番号の情報、及び通常着信での使用有無の情報を対応させるデータテーブルを格納している。不揮発性メモリ１０が格納するデータテーブルの一例を図２に示す。ユーザは、表示装置９の表示を参照してキー入力部５を操作することによって選定番号の編集等を行うことができる。
【００１５】
無線部２はアンテナ１を介して無線信号を受信し、該無線信号を復調して受信信号を生成し、該受信信号をＣＰＵ３及び発信者情報検出回路４に送出する。発信者情報検出回路４は、無線部２が生成する受信信号に基づいて発信者情報を検出し、その検出結果をＣＰＵ３に送出する。ＣＰＵ３は無線部２が生成する受信信号に基づいて着信があるかを判定する。判定の結果着信があれば、ＣＰＵ３は、発信者情報検出回路４の検出結果を表示装置９に表示させるとともに、不揮発性メモリ１０にアクセスし、不揮発性メモリ１０が格納しているデータテーブルを参照してＣＰＵ３から再生回路１１に送出する着信音データを決定する。不揮発性メモリ１０が図２のデータテーブルを格納している場合、発信者電話番号が「１２３４５６７８９」、「９８７６５４３２１」以外であれば通常着信であるのでＣＰＵ３は着信音データＤ３を再生回路１１に送出し、発信者電話番号が「１２３４５６７８９」であればＣＰＵ３は着信音データＤ２を再生回路１１に送出し、発信者電話番号が「９８７６５４３２１」であればＣＰＵ３は着信音データＤ７を再生回路１１に送出する。
【００１６】
再生回路１１は、ＣＰＵ３から送出された着信音データを再生し、その再生したデータ（音声信号）をドライバ回路１２に送出する。ドライバ回路１２は音声信号を増幅してスピーカ１３に送出する。これにより、スピーカ１３が着信音を発し、ユーザに着信を報知する。
【００１７】
次に、図１に示した携帯電話装置の電源系統の構成を図３に示す。なお、図３において図１と同一の部分には同一の符号を付す。
【００１８】
入力端子１４は、ダイオードＤ１のアノードに接続される。ダイオードＤ１のカソードはレギュレータ１８の入力側及びレギュレータ１９の入力側に接続される。レギュレータ１８の出力側は、無線部２、発信者情報検出回路４、ドライバ回路８、表示装置９、再生回路１１、及びドライバ回路１２を備える回路２０（以下、「再生回路等２０」という）に接続され、レギュレータ１９の出力側はＣＰＵ３に接続される。
【００１９】
また入力端子１４は、ダイオードＤ２のアノードにも接続される。ダイオードＤ２のカソードは充電回路１５の入力側に接続される。充電回路１５の出力側は電流検出器１６を介してダイオードＤ３のアノードに接続される。ダイオードＤ３のカソードは、充電池１７の正極側及びダイオードＤ４のアノードに接続される。充電池１７の負極性側は接地され、ダイオードＤ４のカソードはレギュレータ１８の入力側及びレギュレータ１９の入力側に接続される。
【００２０】
さらに入力端子１４は、抵抗Ｒ１の一端にも接続される。抵抗Ｒ１の他端は抵抗Ｒ２を介して接地される。
【００２１】
そして、ＣＰＵ３が、抵抗Ｒ１と抵抗Ｒ２との接続ノード、電流検出器１６、及び再生回路等２０に接続される。
【００２２】
このような構成の電源系統回路の動作について説明する。所定の直流電圧を出力するＡＣアダプタ（図示せず）が入力端子１４に接続されると、ＡＣアダプタ（図示せず）から出力される所定の直流電圧が、入力端子１４及びダイオードＤ１を介してレギュレータ１８及び１９に供給される。そして、レギュレータ１８の出力電圧が再生回路等２０に供給され、レギュレータ１９の出力電圧がＣＰＵ３に供給される。これにより、ＣＰＵ３及び再生回路等２０が動作可能となる。
【００２３】
また、ＡＣアダプタ（図示せず）から出力される所定の直流電圧が、入力端子１４及びダイオードＤ２を介して充電回路１５に供給される。充電回路１５は電流検出器１６及びダイオードＤ３を介して充電池１７を充電する。なお、入力端子１４にＡＣアダプタ（図示せず）が接続されているときは、ダイオードＤ４のカソード電位がダイオードＤ４のアノード電位より高いため、充電池１７は放電を行わない。
【００２４】
電流検出器１６は、充電回路１５から充電池１７に流れる電流を検出するので、充電開始と満充電を検出することができる。なお、充電開始は充電回路１５から充電池１７に電流が流れ始めた時点であり、満充電は充電回路１５から充電池１７に電流が流れ始めたのち当該電流が所定値まで小さくなった時点である。電流検出器１６の検出結果がＣＰＵ３に送出されるので、ＣＰＵ３は充電開始と満充電を認識することができる。電流検出器１６の一実施態様としてはシャント抵抗を用いて当該シャント抵抗の両端電位差によって電流検出を行う構成が挙げられる。
【００２５】
抵抗Ｒ１及び抵抗Ｒ２から成る電圧検出回路は、入力端子１４に印加される電圧を検出するので、入力端子１４にＡＣアダプタ（図示せず）が接続されているか否かを検出することができる。抵抗Ｒ１及び抵抗Ｒ２から成る電圧検出回路によって検出される電圧がＡＣアダプタ（図示せず）から出力される所定の直流電圧の値と一致している場合は、入力端子１４にＡＣアダプタ（図示せず）が接続されている。一方、抵抗Ｒ１及び抵抗Ｒ２から成る電圧検出回路によって検出される電圧がＡＣアダプタから出力される所定の直流電圧の値と一致していない場合は、入力端子１４にＡＣアダプタ（図示せず）が接続されていない。
【００２６】
以下、本発明の特徴部分である着信時以外における着信音データの再生について二つの実施形態を説明する。
【００２７】
まず、着信時以外における着信音データの再生の第一実施形態について説明する。第一実施形態では図１の携帯電話装置に設けられるＣＰＵ３がタイマー機能を有している。そして、ユーザは、表示装置９の表示を参照してキー入力部５を操作することによってタイマーの時間設定及びタイマーの起動を行うことができる。
【００２８】
ＣＰＵ３は、ユーザのキー操作によってタイマーを起動すると同時に、不揮発性メモリ１０にアクセスし、不揮発性メモリ１０が格納するデータテーブルを参照してＣＰＵ３から再生回路１１に送出する着信音データを決定する。そして、再生回路１１は、ＣＰＵ３から送出された着信音データを再生し、その再生したデータ（音声信号）をドライバ回路１２に送出する。ドライバ回路１２は音声信号を増幅してスピーカ１３に送出する。これにより、スピーカ１３が着信音を発する。なお、どの着信音データをどのような順序で再生するかについては後述する。
【００２９】
その後ＣＰＵ３は、タイマー残時間を監視してタイマー残時間が零になると、着信音データの再生を終了させる。これにより、着信がなくてもタイマーが動作している間は着信音を聴くことができ、例えば就寝の際に着信音を聴きながら眠ることが可能となる。このように本発明に係る携帯電話装置は着信音の高音質化を十分に活用することができる。
【００３０】
次に、着信時以外における着信音データの再生の第二実施形態について説明する。第二実施形態でも上述した第一実施形態と同様に図１の携帯電話装置に設けられるＣＰＵ３がタイマー機能を有している。
【００３１】
ＣＰＵ３は、電流検出器１６の出力信号に基づいて充電池１７の充電開始を認識する。そして、ＣＰＵ３は、充電池１７の充電開始と同時に、不揮発性メモリ１０にアクセスし、不揮発性メモリ１０が格納するデータテーブルを参照してＣＰＵ３から再生回路１１に送出する着信音データを決定する。そして、再生回路１１は、ＣＰＵ３から送出された着信音データを再生し、その再生したデータ（音声信号）をドライバ回路１２に送出する。ドライバ回路１２は音声信号を増幅してスピーカ１３に送出する。これにより、スピーカ１３が着信音を発する。なお、どの着信音データをどのような順序で再生するかについては後述する。
【００３２】
ユーザは、表示装置９の表示を参照してキー入力部５を操作することによってタイマーの時間設定及びタイマーの起動を行うことができる。タイマーの時間設定は充電池１７の充電開始前でも充電池１７の充電開始後でも行える構成にすることが望ましい。充電池１７の充電開始前にタイマーの時間設定が行われた場合は、例えば充電池１７の充電開始と同時に自動的にタイマーが起動する構成にするとよい。一方、充電池１７の充電開始後にタイマーの時間設定が行われた場合は、例えばタイマーの時間設定完了と同時に自動的にタイマーが起動する構成にするとよい。
【００３３】
着信音データの再生開始後ＣＰＵ３は、タイマー残時間及び電流検出器１６の出力信号に基づいて充電池１７の満充電を監視する。そしてタイマー残時間が零になるか或いは充電池１７が満充電になると、着信音データの再生を終了させる。第二実施形態では、充電中しか着信音データの再生を行わないので、着信時以外における着信音データの再生による充電池１７の消耗を少なくすことができる。
【００３４】
続いて、第一実施形態及び第二実施形態においてどの着信音データをどのような順序で再生するかについて説明する。ここでは、三つの再生パターンについて説明をする。第一の再生パターンは一つの着信音データを繰り返して再生する。第二の再生パターンは所定の順序で複数の着信音データを順次再生する。第三の再生パターンは不規則に複数の着信音データを再生する。
【００３５】
第一の再生パターンを行う場合のＣＰＵ３の動作フローを図４に示す。第一の再生パターンでは、選定番号１の着信音データを再生し（ステップＳ１０）、その再生が終了すると再度選定番号１の着信音データの再生を開始する。不揮発性メモリ１０が図２に示すデータテーブルを格納している場合、着信音データＤ３が繰り返し再生されることになる。
【００３６】
第二の再生パターンを行う場合のＣＰＵ３の動作フローを図５に示す。第二の再生パターンでは、まず変数Ｎと同一の選定番号に対応する着信音データを再生する（ステップＳ１１０）。なお、工場出荷時に変数Ｎは「１」に設定されているものとする。続いて、ＣＰＵ３は変数Ｎに１を加えたものを新たな変数Ｎとし（ステップＳ１２０）、変数Ｎが選定番号の最大値以下であるかを判定する（ステップＳ１３０）。変数Ｎが選定番号の最大値以下であれば（ステップＳ１３０のＹｅｓ）、ＣＰＵ３はステップＳ１２０で定めた変数Ｎを変更せずにステップＳ１１０に移行する。一方、変数Ｎが選定番号の最大値以下でなければ（ステップＳ１３０のＮｏ）、ＣＰＵ３は変数Ｎを１に変更して（ステップＳ１４０）、ステップＳ１１０に移行する。不揮発性メモリ１０が図２に示すデータテーブルを格納している場合、着信音データＤ３→着信音データＤ２→着信音データＤ７→着信音データＤ１→着信音データＤ９→着信音データＤ３→着信音データＤ２→…の順で繰り返し再生されることになる。
【００３７】
第三の再生パターンを行う場合のＣＰＵ３の動作フローを図６に示す。第三の再生パターンでは、まずＣＰＵ３は「１」から「選定番号の最大値」までの範囲で乱数をもとにランダムな整数（以下乱数Ｒと記載する）を生成する（ステップＳ２１０）。次にＣＰＵ３は、乱数Ｒと同一値の選定番号に対応する着信音データを再生して（ステップ２２０）、ステップＳ２１０に移行する。不揮発性メモリ１０が図２に示すデータテーブルを格納している場合、着信音データＤ１、Ｄ２、Ｄ３、Ｄ７、及びＤ９の中から不規則に選択することを繰り返して着信音データが再生されることになる。
【００３８】
なお、上述した第一実施形態及び第二実施形態において、着信時における着信音データの再生と着信時以外における着信音データの再生をユーザが容易に判別できるように、着信時における着信音データの再生のスピーカ音量と着信時以外における着信音データの再生のスピーカ音量とを別々に設定できることが望ましい。この場合、着信時以外における着信音データの再生のスピーカ音量を着信時における着信音データの再生のスピーカ音量よりも小さくするとよい。
【００３９】
また、上述した第一実施形態及び第二実施形態では着信時に用いた着信音データを着信時以外でも用いたが、着信時における着信音データの再生と着信時以外における着信音データの再生をユーザが容易に判別できるように、着信時に用いた着信音データは着信時以外では用いないようにしてもよい。すなわち、一つの着信音データに選定番号と発信者電話番号又は通常着信使用有の設定とが重複して対応することを禁止するようにしてもよい。
【００４０】
また、通常携帯電話装置は着信音によって着信を報知せずに振動によって着信を報知するサイレントモード（マナーモード）の設定が可能である。本発明に係る携帯電話装置において、上記サイレントモード（マナーモード）のときは着信以外における着信音データの再生を禁止することが望ましい。
【００４１】
また、上述した実施形態では着信音の高音質化を図るためにＣＰＵとは別に再生回路を設ける構成としたが、本発明はこれに限定されることはなく、再生回路を設けず、ＣＰＵが着信音データの再生処理を行う構成であっても構わない。
【００４２】
また、上述した第二実施形態では電流検出器１６の検出結果に基づいて充電池１７の充電開始を検出したが、抵抗Ｒ１及び抵抗Ｒ２から成る電圧検回路から出力される信号に基づいて入力端子１４とＡＣアダプタ（図示せず）とが接続されたことを認識した場合に充電池１７の充電が開始されたとみなすようにしてもよい。
【００４３】
充電池１７が満充電以外の場合は入力端子１４とＡＣアダプタ（図示せず）が接続されると充電が開始され、通常充電池１７が満充電のときにＡＣアダプタ（図示せず）が入力端子１４に接続されることはないので、抵抗Ｒ１及び抵抗Ｒ２から成る電圧検出回路を充電開始手段として用いることができる。
【００４４】
ただし、ユーザが誤って充電池１７が満充電のときにＡＣアダプタ（図示せず）を入力端子１４に接続することも考えられる。充電池１７が満充電であった場合は、入力端子１４とＡＣアダプタ（図示せず）が接続されても充電池１７の充電が開始されないが、このような場合でも着信音データの再生を行う。このとき、ＣＰＵ３及び再生回路等２０はＡＣアダプタ（図示せず）の出力電力によって動作しているので、着信音データの再生による充電池１７の消耗は少ない。
【００４５】
また、上述した第二実施形態ではタイマー残時間が零になったとき又は充電池１７が満充電になったときに着信音データの再生を停止したが、タイマー残時間が零になったとき又は入力端子１４とＡＣアダプタ（図示せず）との接続が解除されたときに着信音データの再生を停止するようにしてもよい。この場合、ＣＰＵ３は、タイマー残時間が零になったとき又は抵抗Ｒ１及び抵抗Ｒ２から成る電圧検回路から出力される信号に基づいて入力端子１４とＡＣアダプタ（図示せず）との接続が解除されたことを認識したときに、着信音データの再生を停止する。このようにしても、充電池１７の満充電から入力端子１４とＡＣアダプタ（図示せず）との接続が解除されるまでの間で且つタイマー残時間が零になっていない期間、ＣＰＵ３及び再生回路等２０はＡＣアダプタ（図示せず）の出力電力によって動作しているので、着信音データの再生による充電池１７の消耗は少ない。
【００４６】
また、上述した第二実施形態においてユーザが充電中に着信音を聴きたくない場合等に対応できるように、ユーザが表示装置９を参照してキー入力部５を操作することによって、充電中であっても着信音データの再生を行わないように設定できる機能を付加してもよい。
【００４７】
【発明の効果】
本発明によると、電話装置が、着信音データを予め格納する記憶手段と、時限手段と、該時限手段の動作開始によって前記記憶手段より前記着信音データを読み出して再生を開始し、前記時限手段の動作中は前記着信音データを再生する再生手段と、を備えるので、着信時以外にも着信音データを再生して聴くことができる。これにより、着信音の高音質化を十分に活用することができる。
【００４８】
また本発明によると、電話装置が、着信音データを予め格納する記憶手段と、内蔵充電池の充電開始を検出する充電開始検出手段と、該充電開始検出手段によって充電開始が検出されると前記記憶手段より前記着信音データを読み出して再生を開始する再生手段と、を備えるので、着信がなくても充電中に着信音データを再生して聴くことができる。これにより、着信音の高音質化を十分に活用することができる。また、充電中に着信音データを再生するので、充電中であることを報知することができ、且つ着信時以外の着信音データの再生によって内蔵充電池の消耗が早くなるおそれをなくすことができる。
【００４９】
また本発明によると、電話装置が、着信音データを予め格納する記憶手段と、時限手段と、内蔵充電池の充電開始を検出する充電開始検出手段と、前記内蔵充電池の満充電を検出する満充電検出手段と、前記時限手段の動作開始あるいは前記充電開始検出手段によって充電開始が検出されると前記記憶手段により前記着信音データを読み出して再生を開始し、前記時限手段の動作終了あるいは前記満充電検出手段によって満充電が検出されると前記着信音データの再生を停止する再生手段と、を備えるので、自動的に着信音データの再生を停止することができる。
【００５０】
また本発明によると、電話装置が上記構成に加えて、前記再生手段が前記着信音データを前記時限手段あるいは前記充電開始検出手段に基づいて再生しているときに着信があったときは、前記着信音データの再生音量を変化させることにより着信を報知する報知手段を備えるので、着信音データの再生中であてもユーザは着信があったことを判別できる。
【図面の簡単な説明】
【図１】本発明に係る携帯電話装置の回路ブロック図である。
【図２】図１の携帯電話装置が備える不揮発性メモリに格納されるデータテーブルを示す図である。
【図３】図１に示す携帯電話装置の電源系統の構成を示す図である。
【図４】着信時以外における着信音データの再生動作を示すフローチャート図である
【図５】着信時以外における着信音データの他の再生動作を示すフローチャート図である
【図６】着信時以外における着信音データの更に他の再生動作を示すフローチャート図である
【符号の説明】
３　　ＣＰＵ
６　　ＲＯＭ
７　　ＲＡＭ
１０　　不揮発性メモリ
１１　　再生回路
１２　　ドライバ回路
１３　　スピーカ
１４　　入力端子
１５　　充電回路
１６　　電流検出器
１７　　充電池
１８、１９　　レギュレータ
２０　　再生回路等
Ｄ１〜Ｄ４　　ダイオード
Ｒ１、Ｒ２　　抵抗
【図１】
2004023272.tif 000003
【図２】
2004023272.tif 000004
【図３】
2004023272.tif 000005
【図４】
2004023272.tif 000006
【図５】
2004023272.tif 000007
【図６】
2004023272.tif 000008